【手続補正書】
【提出日】平成16年1月28日(2004.1.28)
【手続補正１】
【補正対象書類名】特許請求の範囲
【補正対象項目名】全文
【補正方法】変更
【補正の内容】
【特許請求の範囲】
【請求項１】
シャフトを有するゴルフクラブ、および
音発生エレメントの該シャフトへの取り付け手段から構成される音発生エレメントを含む装置であって、
音発生エレメントがシャフトの周囲を自由に回転できるように、該取り付け手段が音発生エレメントをシャフトへ取り付ける装置。
【請求項２】
音発生エレメントがさらに柔軟な物質を含み、該柔軟な物質が人間によるシャフトの急激なスイング動作の間にフラッター音を発生する、請求項１記載の装置。
【請求項３】
リムを有するテニスラケット、および
音発生エレメントの該リムへの取り付け手段から構成される音発生エレメントを含む装置であって、
音発生エレメントがリムの周囲を自由に回転できるように、該取り付け手段が音発生エレメントをリムへ取り付ける装置。
【請求項４】
前記取り付け手段が、音発生エレメントの部分に適用された接着物質を含む、請求項１記載の装置。
【請求項５】
前記接着物質が、音発生エレメント上の位置に置かれ、音発生エレメントをシャフトに取り付け、シャフトに関して回転可能にする、請求項４記載の装置。
【請求項６】
接着物質が音発生エレメントをそれ自身に結合し、音発生エレメントがゴルフクラブシャフトの部分を取り囲むようにする、請求項４記載の装置。
【請求項７】
前記取り付け手段が、該音発生エレメントの部分上に配置された咬みあいフックおよびループ物質を含む、請求項１記載の装置。
【請求項８】
前記咬みあいフックおよびループ物質がそれ自身に固定され、該ゴルフクラブシャフトの部分を音発生エレメントにより取り囲まれるようにする、請求項７記載の装置。
【請求項９】
音発生エレメント、および第１のクリップを含む装置であって、
第１のクリップがゴルフクラブのシャフトに取り付け可能であり、
音発生エレメントが第１のクリップに取り付け可能であり、それにより音発生エレメントがシャフトに取り付けられ、
第１のクリップがシャフトに対して自由に回転可能であるように、第１のクリップがシャフトに取り付けられる、装置。
【請求項１０】
第１のクリップがさらに一対の柔軟なアームを有し、該アームがシャフトを取り囲み、第１のクリップをシャフトにしっかりと固定し、該クリップがシャフトに対して回転可能である、請求項９記載の装置。
【請求項１１】
音発生エレメントに連結したポストを含み、
該第１のクリップがその内部に垂直に配置されたスロットを有し、該スロットは前記一対の柔軟なアームに相対するクリップの壁に配置され、
該ポストは第１のクリップの垂直に配置されたスロット内に挿入され、音発生エレメントを第１のクリップに取り付ける、請求項９記載の装置。
【請求項１２】
音発生エレメントが該ポストの側面に連結される、請求項１１記載の装置。
【請求項１３】
前記の一対のアームに相対する第１のクリップの壁に配置された第２のクリップを有し、該第２のクリップは第１のクリップよりも小さく、
より小さい該第２のクリップ内に挿入するために音発生エレメントに連結された伸張されたポストをさらに含む、請求項９記載の装置。
【請求項１４】
音発生エレメントをシャフトに取り付ける手段がさらにコードを含み、該音発生エレメントが該コードに取り付けられ、該コードがシャフトに結ばれている、請求項２記載の装置。
【請求項１５】
該コードがさらに強化された線を含む、請求項１４記載の装置。
【請求項１６】
シャフトを有するゴルフクラブ、
５０平方インチ未満の物質、および
該物質をシャフトに取り付け、該物質がシャフトの周囲を回転できるようにする取り付け手段、を含むゴルフスイング練習装置。
【請求項１７】
取り付け手段が接着剤で構成される、請求項１６記載の装置。
【請求項１８】
取り付け手段がプラスチッククリップで構成される、請求項１６記載の装置。
【請求項１９】
該物質がポリエステルフィルムである、請求項１６記載の装置。
【請求項２０】
ゴルフクラブヘッドに取り付けられたゴルフクラブシャフトに取り付けられた物質は、物質の平面表面積により設定されるゴルフクラブヘッドのあらかじめ決定されたクラブヘッド速度で、ハミング音を発生する、請求項１６記載の装置。
【請求項２１】
それぞれがシャフトに取り付けるための対応する複数の手段を有する複数の物質を含み、該複数の物質の少なくとも１つの表面積が、該複数の物質の表面積と互いに異なっている、請求項１６記載の装置。
【請求項２２】
音発生エレメントをゴルフクラブのシャフトに取り付け、音発生エレメントがシャフトの周囲を自由に回転できるようにすることを含む方法。
【請求項２３】
音発生エレメントがさらに柔軟な物質を含み、該柔軟な物質が人間によるシャフトの急激なスイング動作の間にフラッター音を発生する、請求項２２記載の方法。
【請求項２４】
ゴルフクラブをスイングし、それにより音発生エレメントをシャフトの周囲で回転させることをさらに含む、請求項２２記載の方法。
【請求項２５】
第１のクリップにより音発生エレメントがシャフトに取り付けられる、請求項２２記載の方法。
【請求項２６】
クリップが一対の柔軟なアームを有し、該アームがシャフトを取り囲み、第１のクリップをシャフトにしっかりと固定し、該第１のクリップがシャフトに対して回転可能である、請求項２５記載の方法。
【請求項２７】
音発生エレメントがポストに連結され、
該第１のクリップがその内部に垂直に配置されたスロットを有し、該スロットは前記一対の柔軟なアームに相対するクリップの壁に配置され、
該ポストは第１のクリップの垂直に配置されたスロット内に挿入され、音発生エレメントを第１のクリップに取り付ける、請求項２６記載の方法。
【請求項２８】
第１のクリップが、一対のアームに相対する第１のクリップの壁に配置された第２のクリップと連結され、該第２のクリップは第１のクリップよりも小さく、
該第２のクリップ内に挿入するために、音発生エレメントに連結された伸張された挿入されたポストをさらに含む、請求項２６記載の方法。
【請求項２９】
音発生エレメントをテニスラケットのリムに取り付け、音発生エレメントがテニスラケットのリムの周囲を自由に回転できるようにすることを含む、方法。
【請求項３０】
テニスラケットをスイングし、それにより音発生エレメントをテニスラケットのリムの周囲で回転させることをさらに含む、請求項２９記載の方法。
【請求項３１】
音発生エレメントがゴルフクラブのクラブヘッドの近くに取り付けられる、請求項１記載の装置。
【請求項３２】
音発生エレメントがゴルフクラブからはずせるように、音発生エレメントがゴルフクラブに取り付けられる、請求項１記載の装置。
【請求項３３】
音発生エレメントがゴルフクラブのクラブヘッドの近くのゴルフクラブのシャフトに取り付けられる、請求項２２記載の装置。
【請求項３４】
音発生エレメントがゴルフクラブからはずせるように、音発生エレメントがゴルフクラブのシャフトに取り付けられる、請求項２２記載の装置。
【請求項３５】
シャフトおよびゴルフクラブヘッドを有するゴルフクラブ、および
音発生エレメントの該シャフトへの取り付け手段を含む音発生エレメントを含む装置であって、
音発生エレメントがシャフトの周囲を自由に回転できるように、該取り付け手段が音発生エレメントをシャフトへ取り付け、
音発生エレメントがゴルフクラブのクラブヘッドの近くのシャフトに取り付けられ、
音発生エレメントが、ゴルフクラブのシャフトの周囲に音発生エレメントを巻き、音発生エレメントをそれ自身に取り付けることにより取り付けられる、装置。
【請求項３６】
音発生エレメントが、音発生エレメントをそれ自身に取り付けるために接着剤を含む、請求項３５記載の装置。
【請求項３７】
シャフトおよびゴルフクラブヘッドを有するゴルフクラブ、および
音発生エレメントの該シャフトへの取り付け手段を含む音発生エレメントを含む装置であって、
音発生エレメントがシャフトの周囲を自由に回転できるように、該取り付け手段が音発生エレメントをシャフトへ取り付け、
取り付け手段が、音発生エレメントをシャフトに取り付け、音発生エレメントがシャフトを自由に滑り落ちることができる様にし、
該取り付け手段がシャフトの末端に位置するゴルフクラブヘッドを有し、該コルフクラブヘッドが音発生エレメントがシャフトから滑り出ることを防止する、装置。